(57)【要約】【課題】  認知行動療法に関してコンピュータネットワークシステムによる改善されたアプリケーション構成やユーザインタフェース等を提供する。【解決手段】  情報処理サーバと前記情報処理サーバに接続される１以上の情報処理端末装置とを含み、前記情報処理サーバと前記情報処理端末装置との間で睡眠に関する質疑応答過程を含む認知行動療法に基づくセッションを実施する睡眠管理システムであって、前記質疑応答過程は、質問ごとに前記情報処理端末装置の画面上の頁単位で進行させ、前記質疑応答過程が終了するまでは、前記情報処理端末装置に対するユーザの指示操作に応じてそれまでの質疑応答記録をスクロール形式で表示させるよう制御する。【選択図】  図４
2018186362.tif 000002
【特許請求の範囲】
【請求項１】
情報処理サーバと前記情報処理サーバに接続される１以上の情報処理端末装置とを含み、前記情報処理サーバと前記情報処理端末装置との間で睡眠に関する質疑応答過程を含む認知行動療法に基づくセッションを実施する睡眠管理システムであって、
前記質疑応答過程は、質問ごとに前記情報処理端末装置の画面上の頁単位で進行させ、
前記質疑応答過程が終了するまでは、前記情報処理端末装置に対するユーザの指示操作に応じてそれまでの質疑応答記録をスクロール形式で表示させるよう制御する
ことを特徴とするシステム。
【請求項２】
前記ユーザの指示操作は上方向へのスクロール操作であることを特徴とする請求項１に記載のシステム。
【請求項３】
前記質疑応答過程における質疑応答記録は前記情報処理サーバによってセッションごとに記録管理され、前記記録管理された質疑応答記録は、過去記録としてログ形式及び／またはグラフ形式で前記情報処理端末装置によって閲覧できるように制御されることを特徴とする請求項１または２に記載のシステム。
【請求項４】
情報処理サーバと前記情報処理サーバに接続される１以上の情報処理端末装置とを含み、前記情報処理サーバと前記情報処理端末装置との間で睡眠に関する質疑応答過程を含む認知行動療法に基づくセッションを実施する睡眠管理システム上で実行されるプログラムであって、前記システム上で実行されたとき、
前記情報処理サーバ及び／または前記情報処理端末装置に、前記質疑応答過程を質問ごとに前記情報処理端末装置の画面上の頁単位で進行させるステップと、
前記情報処理サーバ及び／または前記情報処理端末装置に、前記質疑応答過程が終了するまでは、前記情報処理端末装置に対するユーザの指示操作に応じてそれまでの質疑応答記録をスクロール形式で表示するよう制御させるステップと
を実行することを特徴とするシステム。
【請求項５】
前記ユーザの指示操作は上方向へのスクロール操作であることを特徴とする請求項４に記載のプログラム。
【請求項６】
前記質疑応答過程における質疑応答記録は前記情報処理サーバによってセッションごとに記録管理され、前記記録管理された質疑応答記録は、過去記録としてログ形式及び／またはグラフ形式で前記情報処理端末装置によって閲覧できるように制御されることを特徴とする請求項４または５に記載のプログラム。
【発明の詳細な説明】
【技術分野】
【０００１】
本発明は、広くネットワークを介してユーザの睡眠を管理するシステム、方法、プログラム等に関し、より具体的には、ネットワークを介してユーザの睡眠を管理し、改善するための支援をするシステム等に関する。
【背景技術】
【０００２】
日本では２０００万人以上が睡眠に問題を抱えており、そのうち６００万人が睡眠薬を利用していると言われている。睡眠障害は生産性に大きな影響を与えるだけでなく、大きな社会問題であるメンタルヘルスにも直結し、社会全体への経済損失は３．５兆円とも試算されている。
【０００３】
また、欧米で確立され、睡眠薬と同等かそれ以上の効果があると科学的にも実証されている「睡眠障害向け認知行動療法（ＣＢＴ−ｉ：Cognitive Behavior Therapy for Insomnia）が知られている。この療法では、短期間に集中して様々な疾患、症状に効果があるとされているセラピーセッション（１〜３週間おきに１時間）を６〜１８回実施し、セッション間には、セラピストと患者とが同意した「宿題」に取り組む。
かかるＣＢＴは、不安症、うつ、拒食・過食症といった疾患治療に対する効果や、社会的行動是正に対する一定の効果があるとされている
【０００４】
一方で、これまで睡眠を管理するシステム等の提案もなされており、例えば、個人の睡眠の質および行動と、日中どのように行動しているかについての客観的測定とを相関させ得る個別システムを提供するシステム等がある（特許文献１）。
【０００５】
すわなち、特許文献１には、睡眠管理システムであって、
（ｉ）ベッドに就いているときのユーザの睡眠の質に関連する客観的パラメータであって、生理学的パラメータおよび環境的パラメータから選択され、少なくとも前記ユーザの運動および／または前記ユーザの脳の活動を示す電気信号を含む１つ以上の客観的パラメータを監視する少なくとも１つのセンサと、
（ｉｉ）前記少なくとも１つのセンサから信号データを収集し、前記信号データを処理手段に通信するセンサユニットと、
（ｉｉｉ）起きているときの前記ユーザからの認知能力および／または精神運動能力を示す客観的テストデータを収集し得るものであり、さらにデータを前記処理手段に通信し、前記ユーザに表示される前記処理手段からの情報を受信する携帯型ユーザ双方向装置と、（ｉｖ）前記センサユニットおよび前記携帯型ユーザ双方向装置からのデータを処理し、それによってセンサユニットデータと認知データおよび／または精神運動データとの両方を考慮に入れる少なくとも１つの結合睡眠表示指標、または、睡眠指標もしくは睡眠の質の指標とともに認知能力指標および／または精神運動能力指標が、前記携帯型ユーザ双方向装置を介して前記ユーザに表示され得る睡眠管理システムが開示されている。
【先行技術文献】
【特許文献】
【０００６】
【特許文献１】特開平８−１８０１１５号公報
【発明の概要】
【発明が解決しようとする課題】
【０００７】
しかしながら、従来の睡眠管理方法では、ベッドに就いているユーザの睡眠の質に関連する１つ以上の客観的パラメータを監視し、携帯電話などの携帯型装置を介して起きているときのユーザから認知能力および／または精神運動能力についての客観的テストデータのフィードバックを受信する仕組みは実現されているものの、適切かつ柔軟な方針に沿った睡眠改善支援といった観点からは改善の余地がある。さらに、従来、医者や臨床心理士がセラピストとなって行われてきた認知行動療法をコンピュータネットワークシステムによって実現する場合には、そのアプリケーション構成やユーザインタフェースにも大きな改善の余地がある。
【課題を解決するための手段】
【０００８】
そこで、本発明の一実施形態にかかる睡眠管理システムは、情報処理サーバと前記情報処理サーバに接続される１以上の情報処理端末装置とを含み、前記情報処理サーバと前記情報処理端末装置との間で睡眠に関する質疑応答過程を含む認知行動療法に基づくセッションを実施する睡眠管理システムであって、前記質疑応答過程は、質問ごとに前記情報処理端末装置の画面上の頁単位で進行させ、前記質疑応答過程が終了するまでは、前記情報処理端末装置に対するユーザの指示操作に応じてそれまでの質疑応答記録をスクロール形式で表示させるよう制御することを特徴とする。
【０００９】
また、前記ユーザの指示操作は上方向へのスクロール操作であることを特徴とする。
【００１０】
また、前記質疑応答過程における質疑応答記録は前記情報処理サーバによってセッションごとに記録管理され、前記記録管理された質疑応答記録は、過去記録としてログ形式及び／またはグラフ形式で前記情報処理端末装置によって閲覧できるように制御されることを特徴とする。
【発明の効果】
【００１１】
本発明の一実施形態にかかる睡眠管理システム等によれば、従来医者や臨床心理士によって行われてきた認知行動療法に関してコンピュータネットワークシステムによる改善されたアプリケーション構成やユーザインタフェース等を提供できるという効果を奏する。
【図面の簡単な説明】
【００１２】
【図１】本発明の一実施形態にかかる睡眠管理システムの全体構成例を説明する説明図である。
【図２】本発明の一実施形態にかかる睡眠管理システムにおける情報処理端末装置の外観構成を説明する説明図である。
【図３】本発明の一実施形態にかかる睡眠管理システムにおける情報処理端末装置の機能ブロックを説明する説明図である。
【図４】本発明の一実施形態にかかる睡眠管理システム等の動作例を説明するフローチャートである。
【図５】本発明の一実施形態にかかる睡眠管理システム等の動作例を説明するフローチャートである。
【図６】本発明の一実施形態にかかる睡眠管理システムにおける情報処理端末装置の表示例を説明する説明図である。
【図７】本発明の一実施形態にかかる睡眠管理システムにおける情報処理端末装置の他の表示例を説明する説明図である。
【図８】本発明の一実施形態にかかる睡眠管理システムにおける情報処理端末装置の他の表示例を説明する説明図である。
【図９】本発明の一実施形態にかかる睡眠管理システムにおける情報処理端末装置の他の表示例を説明する説明図である。
【図１０】本発明の一実施形態にかかる睡眠管理システムにおける情報処理端末装置の他の表示例を説明する説明図である。
【図１１】本発明の一実施形態にかかる睡眠管理システムにおける情報処理端末装置の他の表示例を説明する説明図である。
【図１２】本発明の一実施形態にかかる睡眠管理システムにおける情報処理端末装置の他の表示例を説明する説明図である。
【発明を実施するための形態】
【００１３】
本発明の一実施形態にかかる睡眠管理システム、方法、及びプログラムについて、図面を参照しながら詳細に説明する。
【００１４】
図１に、本発明の一実施形態にかかる睡眠管理システムの全体構成例を示す。本発明の特徴的な処理動作は、主として情報処理サーバ群における管理サーバ（ユーザの睡眠環境や睡眠状況等を管理する）及びユーザ端末である情報処理端末装置によって実施されるが、本発明はこれに限定されるものではなく、実行可能な処理ルーチンのうちの少なくとも一部が、他の情報処理サーバや他の情報処理端末装置等においても実施されることがある（情報処理端末装置単体で実施可能なものもある）。
以下、図１を参照して、睡眠管理システム全体として本発明の一実施形態を実施する場合の態様を説明する。
【００１５】
図１に示されるように、睡眠管理システム１０は、その最小限の構成として、情報処理サーバ群１１（ユーザの睡眠環境や睡眠状況、並びに、認知行動療法に基づく各種パラメータを管理する１以上の管理サーバ）と、ユーザが使用する各種情報処理端末装置（図において、例示的に、ＰＣ１２及び１３、携帯電話１４、携帯情報端末ないしタブレット端末１５が示されている。以下、総称して「ユーザ端末」ないし「端末」とも言う）とで構成され、サーバ群及び各種端末間は、図１に示されるように専用回線やインターネット等の公衆回線（有線の回線のものとして、１６〜１８）により相互に通信可能に接続されている。また、回線は有線であっても無線であってもよく、無線の場合、携帯電話１４及び携帯情報端末ないしタブレット端末１５は、無線で図示しない基地局や無線ルータ等を介してインターネット１９に乗り入れ、更に回線１８を介して情報処理サーバ群１１と相互に通信可能に接続される。
【００１６】
なお、本願の出願時点での携帯電話や携帯情報端末ないしタブレットは、パーソナルコンピュータ（ＰＣ）に比肩する処理能力（通信処理速度や画像処理能力等）を備えているものも多く、小型のコンピュータとも言うべきものである。
【００１７】
また、本発明の実施に必要なプログラムないしソフトウェアは、通常、情報処理サーバ群における記憶部、さらには必要に応じてＰＣや携帯情報端末の記憶部におけるＨＤＤないしＳＳＤ等にインストールないし記憶され、プログラムないしソフトウェアの実行時には、必要に応じて記憶部内のメモリにその全部又は一部のソフトウェアモジュールとして読み出され、ＣＰＵにおいて演算実行される。
【００１８】
なお、演算実行は必ずＣＰＵ等の中央処理部で行われる必要はなく、図示しないディジタルシグナルプロセッサ（ＤＳＰ）等の補助演算装置を用いることもできる。
【００１９】
さらに、情報処理サーバ群１１のハードウェア構成も、基本的にはＰＣを採用することができる。なお、本発明はこれに限定されるものではないが、情報処理サーバ群１１は、必要に応じてそのハードウェアスペックを上げるにあたり、複数のＰＣ（一例として、数十台〜数万台）を並列的に作動させることによって大規模データの処理に適した構成をとることもできる。
【００２０】
図２に、本発明の一実施形態にかかる情報処理システムにおける情報処理端末装置としてのタブレット端末の外観構成を示す。図２において、情報処理端末装置（タブレット端末）１５は、筐体部１５１とディスプレイ１５２と筐体１５１の下部中央部に設けられたハードウェアボタン１５３とからなる。ディスプレイ１５２は典型的には液晶ディスプレイ（ＬＣＤ）等で構成され、文字や静止画像や動画など様々な情報を表示することができる。また、ディスプレイ１５２にメニューボタンやソフトウェアキーボードを表示させ、これを指ないしタッチペン（不図示）等で触れることによりタブレット端末１５への指示（コマンド）とすることができる。この点で上記ハードウェアボタン１５３は必須の構成要素ではないが、本発明の説明の便宜上、一定の機能を担うボタンとして実装されている。もちろん、これらハードウェアボタン１５３を、ディスプレイ１５２の一部に表示させたメニューボタンで代替させることも可能である。
【００２１】
また、ディスプレイ１５２には、マルチタッチ入力パネルが含まれており、タッチ入力パネル上でのタッチ入力位置座標が入力デバイスインタフェース（不図示）を介してタブレット端末１５の処理系（ＣＰＵ）へ送信され処理される。そして、このマルチタッチ入力パネルは、パネルに対する複数の接触点を同時に感知することができるよう構成されている。この検出（センサ）については様々な方法で実現することができ、必ずしも接触センサに限られず、例えば、光学式のセンサを利用してパネルに対する指示点を抽出することも可能である。さらに、センサには、接触式のセンサや光学式のセンサのほか、人の肌の接触を感知する静電容量方式のセンサを用いることも可能である。
【００２２】
また、図２には現れていないが、タブレット端末１５は、マイクやスピーカを備えることもできる。この場合にはマイクより拾ったユーザの声などを判別して入力コマンドとすることも可能である。さらに、図２には現れていないが、タブレット端末１５の背面等には、ＣＭＯＳ等のカメラデバイスが実装されている。
【００２３】
図３に、本発明の一実施形態にかかるタブレット端末１５を構成するハードウェアの機能ブロック図を例示する。タブレット端末１５の動作は、以下に説明するハードウェアの個々の動作、及びソフトウェアとこれらハードウェアとの連携動作によって実現されている。
【００２４】
図３において、ハードウェアブロック全体としてのタブレット端末３００は、大別すると、図２におけるハードウェアボタン１５３、ディスプレイ１５２に設けられたマルチタッチ入力パネル、マイク等で構成される入力部３０１と、プログラムやデータ等を記憶するためのハードディスク、ＲＡＭ及び／又はＲＯＭ等で構成される記憶部３０２と、プログラムによって様々な数値計算や論理演算を行うＣＰＵによって構成される中央処理部３０３と、ディスプレイ１５２等で構成される表示部３０４と、チップや電気系統等の制御を行うための制御部３０５と、インターネットにアクセスするためのスロットや光通信を行うためのポート、及び通信インタフェースから構成される通信インタフェース部３０６と、スピーカやバイブレーション等の出力部３０７と、時刻等を計時するための計時部３０８と、ＣＭＯＳ等のイメージセンサからなるセンサ部３０９と、装置内の各モジュールに電源を供給するための電源部３１０とからなり、これらのモジュールは必要に応じて適宜通信バスや給電線（図３においては、便宜上各線が適宜区分された結線３１１としてひとまとめに表す）によって接続されている。
【００２５】
なお、センサ部３０９には、タブレット端末３００（１５）の位置を特定するためのＧＰＳセンサモジュールを含めることとしても良い。また、センサ部３０９を構成するＣＭＯＳ等のイメージセンサによって検知された信号は、入力部３０１において入力情報として処理することができる。
【００２６】
また、本発明の実施に必要なプログラムないしソフトウェアは、通常、記憶部３０２を構成するハードディスクディスク等にインストールないし記憶され、プログラムないしソフトウェアの実行時には、必要に応じて記憶部３０２内のメモリにその全部又は一部のソフトウェアモジュールとして読み出され、ＣＰＵ３０３において演算実行される。
【００２７】
なお、演算実行は必ずしもＣＰＵ等の中央処理部３０３で行われる必要はなく、図示しないディジタルシグナルプロセッサ（ＤＳＰ）等の補助演算装置を用いることもできる。
【００２８】
図４に、本発明の一実施形態にかかる睡眠管理システム等の動作例を示す。本発明の一実施形態にかかる睡眠管理システムの特徴は、従来、医者や臨床心理士とのセラピーセッションが必要であった認知行動療法を、アプリケーションを使って手軽に実践できる点である。これを実現する具体的な構成として、大きくは次の３つの構成（１）〜（３）を備えている。
（１）動画コンテンツを使用することによりユーザに対し認知行動療法を教授し、ユーザの実践を促すシステム構成
（２）ユーザの日々の睡眠記録を管理・分析して睡眠の改善を促し、その改善具合を測定するシステム構成
（３）コーチ（医者や臨床心理士等のセラピスト）とのチャットコミュニケーションを実装することにより、ユーザの疑問や不安等を解消させるためのフォローアップをする構成
【００２９】
そして、本発明の一実施形態にかかる睡眠管理システムは、基本的に１日１回のセッションプログラムをユーザに課すことによって上記構成を実践していく。図４は、プログラムの構成単位となるセッション１回分の進行を説明するものである。
【００３０】
図４のステップＳ４０１において、アプリケーション上でのセッションを開始すると、ステップＳ４０２へ進み、チャット（Ｑ＆Ａ）形式の問診が実施される。典型的にはシステム（アプリケーション）側が用意した質問にユーザが端末上の操作によって回答し、これらの質疑応答を複数回繰り返して、その日（その回）の問診記録をシステム側で記録保存するというものである（具体的な問診の態様については、図６〜図１０を参照して後述する）。
【００３１】
ステップＳ４０３では、そのセッションの中心テーマとなるレクチャが実施される。一実施形態において、このレクチャはシステム（アプリケーション）から提供される動画コンテンツ（一例として、２〜５分程度の動画である）をユーザが再生して視聴し、コンテンツ内容を理解してもらうことにより進められる。
【００３２】
（セッションプログラムの分割進行）
本発明の一実施形態において、セッションプログラムは、１日に５〜１０分程度で区切りが付くように分割され、日々進行される。一例として、コーチとの自動ないし手動チャットを通してユーザが睡眠日記（日々の記録）を継続できるようにサポートし、かつ、セッションプログラムの進行に応じてユーザの睡眠状況をチェックできるようにシステムとしてサポートする。
【００３３】
ステップＳ４０３でレクチャを終了し、ステップＳ４０４へ進むと、ユーザがログ等の閲覧を希望するかどうかが判断される（具体的には、メニューやボタン等を設けてユーザの指示を待つ）。同ステップでＮｏの場合は、ステップＳ４０６へスキップするが、Ｙｅｓの場合はステップＳ４０５へ進んで閲覧モードに入る。
【００３４】
ステップＳ４０５の閲覧モードでは、これまでの睡眠状況のログデータを視覚的に確認したり、これまでのレクチャを再度視聴したりすることができる。閲覧モードは、例えば週ごとの振り返りを行い、当初の「目標」が達成できているかを確認してプログラム進行の習慣付けを図るのに役立つものである。閲覧モードをいったん終了すると、ステップＳ４０６へ進む。
【００３５】
ステップＳ４０６では、ユーザがコーチに質問をしたいか、あるいは他ユーザとのコミュニケーションをしたかどうかが判断される（具体的には、メニューやボタン等を設けてこれらに対するユーザの指示を待つ）。同ステップでＮｏの場合は、ステップＳ４０８へスキップするが、Ｙｅｓの場合はステップＳ４０７へ進んでコミュニケーションモードに入る。
【００３６】
ステップＳ４０７のコミュニケーションモードでは、チャットを介してコーチに相談したり、他ユーザとのメッセージ交換を行ったりすることができる。システムによって自動的に進行されるプログラムだけではなく、人との接点を作ることによってよりユーザのモチベーションを維持ないし向上させることができる。コミュニケーションモードをいったん終了すると、ステップＳ４０８へ進む。
【００３７】
ステップＳ４０８では、セッションを終了するかどうかが判断され、図示しない操作により終了指示があった（Ｙｅｓ）場合はステップＳ４０９へ進み、その日（その回）のセッションを終了するが、Ｎｏの場合はステップＳ４０４へ復帰する。
【００３８】
図５に、図４に示した本発明の一実施形態にかかる睡眠管理システム等の動作のうちチャット形式の問診動作（ステップＳ４０２）の詳細フローを示す。
【００３９】
ステップＳ５０１において問診処理がスタートすると、ステップＳ５０２へ進み、システム（端末）側からの質問がなされる（質問の形態や数は本発明を制限するものではないが、例示のために図６〜図８を参照して後述する）。
【００４０】
ステップＳ５０３では、前ステップでの質問に対するユーザの回答を待つ（同ステップにおいてＮｏのループ）。同ステップで回答があると、ステップＳ５０４へ進み、質問内容と回答をセットにして数値化して端末ないしサーバ上のメモリに記録保存する。
【００４１】
ステップＳ５０５ではまだ質疑（問診）は終わっておらず、ユーザの指示のよるスクロール操作があったかどうかが判断される。同ステップでＮｏの場合はステップＳ５０７へ進むが、Ｙｅｓの場合はステップＳ５０６へ進み、ここまでに蓄積された質疑応答の履歴をチャットログとしてスクロールさせながら簡便に確認することができる（後述）。ひとまずスクロール処理を終えると、ステップＳ５０７へ進む。
【００４２】
ステップＳ５０７では、質疑（問診）が終わったかどうかが判断され、Ｙｅｓの場合はステップＳ５０８へ進み本フローを終了するが、Ｎｏの場合はステップＳ５０２へ復帰する。
【００４３】
以上、図４〜５を参照して、本発明の一実施形態における睡眠管理システムの最小単位の動作について説明したが、本発明の一実施形態における睡眠管理システムが採用する基本アセスメント（基本看護計画）は次のとおりであり、この基本アセスメントにおいて数値化された諸処のデータをもとにセッションプログラムが設計されている（本発明はこれらに限定されるものではないが、参考のために説明する）。
【００４４】
［本発明の一実施形態において採用される基本アセスメント］
（１）不眠診断上の分類
不眠の重症度や、不眠タイプ（「入眠困難タイプ」「中途覚醒タイプ」等８種類への分類）が数値化される。これらは、ＩＳＩ（不眠症重症度質問表）や独自の質問表に基づいて数値化される。
【００４５】
（２）不眠原因タイプ診断に基づくプログラムの作成
生活習慣や不安度等の独自の質問表を使って不眠原因をタイプ分け（一例として、８タイプに分類）し、不眠原因タイプに合わせたプログラムが作成される。
プログラムは、一例として、睡眠総論、睡眠衛生、刺激コントロール、睡眠制限、認知再構成という５つのモジュールで構成され、不眠原因タイプによって、これらのモジュール並び替えてその人に効果が高いと思われるモジュール構成を生成する。
なお、衛生モジュールについては、「ユーザに関係の無いセッションを除く」等の調整（非喫煙者に対して喫煙セッションを実施しない等）も行うことができる。
【００４６】
次に、図６〜図１０を参照して質疑（問診）処理時の端末画面上の表示例を説明する。
【００４７】
図６（Ａ）は、セッションの開始画面であり、開始ボタン６０１を押下することにより次画面（同図（Ｂ））へ遷移する。セッションは、後述する質疑（問診）のほか、レクチャも含まれるが、本実施形態においては、質疑（問診）にフォーカスして説明する。
【００４８】
図６（Ｂ）では、最初の質問６０２が提示されている。ユーザは、ホイール状ＵＩ６０３を操作して適切な位置にセットし、画面遷移ボタン６０４を押下すると次画面（同図（Ｃ））へ遷移する。
このとき、本発明はこれに限定されるものではないが、質問６０２における質疑応答内容（データ）を端末ないしサーバ上のメモリに記憶させることができる（以下、質疑ごとに同様）。
【００４９】
図６（Ｃ）では、質問６０５が提示されている。ユーザは、ホイール状ＵＩ６０６を操作して適切な位置にセットし、画面遷移ボタン６０７を押下すると次画面（同図（Ｄ））へ遷移する。
【００５０】
図６（Ｄ）では、質問６０８が提示されている。ユーザは、選択ボタン６０９または６１０を押下して適切な回答をする。同図（Ｄ）では画面遷移ボタンが割愛されているが、選択ボタンが押下された時点で自動的に次画面（図７（Ｅ））へ遷移するように制御されるためである。
【００５１】
次に、図７（Ｅ）では、質問７０１が提示されている。ユーザは、ホイール状ＵＩ７０２を操作して適切な位置にセットし、画面遷移ボタン７０３を押下すると次画面（同図（Ｆ））へ遷移する。
【００５２】
図７（Ｆ）では、質問７０４が提示されている。ユーザは、ホイール状ＵＩ７０５を操作して適切な位置にセットし、画面遷移ボタン７０６を押下すると次画面（同図（Ｇ））へ遷移する。
【００５３】
図７（Ｇ）では、質問７０７が提示されている。ユーザは、スライダーＵＩ７０８を操作（具体的にはノブ７０８ｂをドラッグ）して適切な位置にセットし、画面遷移ボタン７０９を押下すると次画面（同図（Ｈ））へ遷移する。
【００５４】
図７（Ｈ）では、質問７１０が提示されている。ユーザは、スライダーＵＩ７１１を操作（具体的にはノブ７１１ｂをドラッグ）して適切な位置にセットし、画面遷移ボタン７１２を押下すると次画面（図８（Ｉ））へ遷移する。
【００５５】
図８（Ｉ）では、質問８０１が提示されている。ユーザは、選択ボタン８０２〜８０６のいずれか１つを押下して適切な回答をする。同図（Ｉ）では画面遷移ボタンが割愛されているが、選択ボタンが押下された時点で自動的に次画面（図８（Ｊ））へ遷移するように制御されるためである。
【００５６】
図８（Ｊ）では、質問８０７が提示されている。ユーザは、選択ボタ８０８または８０９を押下して適切な回答をする。同図（Ｊ）では画面遷移ボタンが割愛されているが、選択ボタンが押下された時点で自動的に次画面（後述する図１０）へ遷移するように制御されるためである。
【００５７】
上記図６（Ｂ）〜図８（Ｊ）までの過程において収集されたデータは下表のとおりとなる。本発明の一実施形態においては、単に「質問」「回答」の組合せがそのまま記録されるのではなく、「質問」及び／または「回答」は、「質問要旨」及び／または「回答要旨」に整理された形式に変換ないし翻訳することができる。
【表１】
2018186362.tif 000003
【００５８】
ここで、本発明の特徴の１つとして、上記図６（Ｂ）〜図８（Ｊ）までの過程においては、任意のタイミングでそれまでの質疑応答履歴をチャット形式でスクロールさせながら確認することができる。
図９を参照して説明する（図５のステップＳ５０６の具体例である）。
【００５９】
図９において、画面９００上には、これまでの質問９０１、９０３とそれらの回答９０２、９０４の履歴が整理された形で表示されており、一例として、手ないし指９１０を使って画面上の適切な位置にタッチしたまま上下にスイープすることによって、質疑応答履歴をチャット形式でスクロールさせながら確認することができる。
【００６０】
このスクロール操作は、質疑応答過程が終了するまでの任意の段階で実施することができる。例えば、本発明の一実施形態にかかる質疑応答過程である図７（Ｈ）示される画面で上方向へスクロールさせる操作を行うと、それまでの質疑応答記録である図６（Ｂ）〜図７（Ｇ）までの応答記録を整理された形で確認することができる。
【００６１】
質疑応答過程は、画面ページごとの進行をさせ、随時スクロール操作（典型的には、上方向へのスクロール操作）によって、それまでの質疑応答記録を確認できるとこが大きな特徴となっている。
【００６２】
また、質疑応答履歴をスクロール表示させている段階で、任意の質問項目ないし回答項目をタップすると、該当する質疑応答ページに遷移させることができ、回答のやり直しができる。例えば、質問項目９０１または回答項目９０２をタップすると、図７（Ｆ）へ戻ることができ、回答の訂正入力が可能となる。
【００６３】
そして、質疑応答過程を終了すると、図１０に示される画面１０００に遷移し、レッスン開始（レクチャの開始）コメント１００１が表示させる。ユーザは同画面１０００において画面遷移ボタン１００２を押下することによりレクチャを開始させることができる。
【００６４】
次に、図１１及び図１２を参照して本発明の一実施形態にかかる睡眠管理システムにおける情報処理端末装置の他の表示例を説明する。具体的には、図１１は過去の記録をログ形式で閲覧している様子を示すものであり、図１２は過去の記録をグラフ形式で閲覧している様子を示すものである。
【００６５】
本発明のさらに他の特徴は、図１１に示されたログ形式の記録と図１２に示されたグラフ形式の記録とは参照しているデータが共通しており、ログ形式で示される記録は参照されたデータのオリジナル（典型的には、上述の質疑応答により収集されたデータ）であり、グラフ形式で示される記録は前記オリジナルデータに基づいて公知の演算処理によって視覚化されている点である。
【００６６】
図１１の画面１１００においては、表示形式選択欄１１０１は「ログ」１１０１ａが選択されており、ログ形式の過去記録が提示されている。具体的には、過去日付表示欄１１０２に示される日付ごとの睡眠効率、睡眠時間、寝床内時間、入眠までの時間、夜中覚醒時間、早朝覚醒時間、睡眠クオリティー、昼間のクオリティー、睡眠薬の量、時計を見ない、スマホを触らない等の各項目について、睡眠効率欄１１０３、睡眠時間欄１１０４、寝床内時間欄１１０５、入眠までの時間欄１１０６、夜中覚醒時間欄１１０７、早朝覚醒時間欄１１０８、睡眠クオリティー欄１１０８、昼間のクオリティー欄１１０９、睡眠薬の量欄１１１０、時計を見ない欄１１１１、スマホを触らない欄１１１２にそれぞれ日ごとの記録結果が表示されている。
【００６７】
一方で、図１１の表示形式選択欄１１０１で「グラフ」１１０１ｂを選択すると図１２に遷移し、視覚化された過去記録を閲覧できる。
すなわち、図１２に示されるように、表示形式選択欄１２０１の下側には過去の日付ごとの睡眠効率をグラフ化した睡眠効率グラフ１２０２が提示され、その下側には過去の日付ごとの覚醒時間をグラフ化した覚醒時間グラフ１２０３が提示されている。その他の項目についてもスクロール操作によって閲覧することができる。
【００６８】
以上、具体例に基づき、本発明の一実施形態にかかる睡眠管理システム、方法及びプログラム等の実施形態を説明したが、本発明の実施形態としては、システム又は装置を実施するための方法又はプログラムの他、プログラムが記録された記憶媒体（一例として、光ディスク、光磁気ディスク、ＣＤ−ＲＯＭ、ＣＤ−Ｒ、ＣＤ−ＲＷ、磁気テープ、ハードディスク、メモリカード）等としての実施態様をとることも可能である。
【００６９】
また、プログラムの実装形態としては、コンパイラによってコンパイルされるオブジェクトコード、インタプリタにより実行されるプログラムコード等のアプリケーションプログラムに限定されることはなく、オペレーティングシステムに組み込まれるプログラムモジュール等の形態であっても良い。
【００７０】
さらに、プログラムは、必ずしも制御基板上のＣＰＵにおいてのみ、全ての処理が実施される必要はなく、必要に応じて基板に付加された拡張ボードや拡張ユニットに実装された別の処理ユニット（ＤＳＰ等）によってその一部又は全部が実施される構成とすることもできる。
【００７１】
本明細書（特許請求の範囲、要約、及び図面を含む）に記載された構成要件の全て及び／又は開示された全ての方法又は処理の全てのステップについては、これらの特徴が相互に排他的である組合せを除き、任意の組合せで組み合わせることができる。
【００７２】
また、本明細書（特許請求の範囲、要約、及び図面を含む）に記載された特徴の各々は、明示的に否定されない限り、同一の目的、同等の目的、または類似する目的のために働く代替の特徴に置換することができる。したがって、明示的に否定されない限り、開示された特徴の各々は、包括的な一連の同一又は均等となる特徴の一例にすぎない。
【００７３】
さらに、本発明は、上述した実施形態のいずれの具体的構成にも制限されるものではない。本発明は、本明細書（特許請求の範囲、要約、及び図面を含む）に記載された全ての新規な特徴又はそれらの組合せ、あるいは記載された全ての新規な方法又は処理のステップ、又はそれらの組合せに拡張することができる。
【符号の説明】
【００７４】
１０  睡眠管理システム
１１  情報処理サーバ
１２、１３  ＰＣ（情報処理端末装置の一形態）
１４  携帯電話（情報処理端末装置の一形態）
１５  タブレット端末（情報処理端末装置の一形態）
１９  公衆回線（専用線、インターネット等）
【図１】
2018186362.tif 000004
【図２】
2018186362.tif 000005
【図３】
2018186362.tif 000006
【図４】
2018186362.tif 000007
【図５】
2018186362.tif 000008
【図６】
2018186362.tif 000009
【図７】
2018186362.tif 000010
【図８】
2018186362.tif 000011
【図９】
2018186362.tif 000012
【図１０】
2018186362.tif 000013
【図１１】
2018186362.tif 000014
【図１２】
2018186362.tif 000015